(57)【要約】【課題】梁、及び、屋上又はベランダの床パネルに対して固定されつつも床パネルに対する荷重の負荷を軽減できる、建築部材を取り付け可能な部材取付具及びこの部材取付具を備える建物を提供すること。【解決手段】本発明に係る部材取付具は、梁の上面に載置された床パネルを含む建物の屋上又はベランダの床に建築部材を取り付けるための部材取付具であって、前記梁の上方を含む領域に形成される前記床パネルの開口部に挿入され、前記梁に対して固定される梁取付部と、前記開口部の周囲において前記床パネルの上面に固定される床取付部と、前記梁取付部に連結されるとともに前記床取付部に連結され、前記建築部材を固定可能な部材取付部と、を備え、前記部材取付部は、前記梁との上方に設けられる。【選択図】図５
2018115529.tif 000002
【特許請求の範囲】
【請求項１】
梁の上面に載置された床パネルを含む建物の屋上又はベランダの床に建築部材を取り付けるための部材取付具であって、
前記梁の上方を含む領域に形成される前記床パネルの開口部に挿入され、前記梁に対して固定される梁取付部と、
前記開口部の周囲において前記床パネルの上面に固定される床取付部と、
前記梁取付部に連結されるとともに前記床取付部に連結され、前記建築部材を固定可能な部材取付部と、を備え、
前記部材取付部は、前記梁の上方に設けられることを特徴とする部材取付具。
【請求項２】
前記部材取付部は、平面視で前記開口部に対して前記床取付部とは反対側に持ち出された位置に設けられることを特徴とする、請求項１に記載の部材取付具。
【請求項３】
前記部材取付部は、平面視で前記梁の中心線を跨る位置に設けられることを特徴とする、請求項１または請求項２に記載の部材取付具。
【請求項４】
前記梁取付部は第１板部により構成されており、
前記床取付部は、前記第１板部と対向して配置された第２板部により構成されており、
前記部材取付部は、前記第２板部の前記第１板部と対向する面と反対側の面上に設けられており、
前記第１板部及び前記第２板部は、前記第１板部と前記第２板部との間に位置する板状の連結部により連結されていることを特徴とする、請求項１乃至３のいずれか１つに記載の部材取付具。
【請求項５】
前記開口部の底部において平面視で少なくとも前記梁と重ならない範囲を塞ぐための塞ぎ部を備える請求項１乃至４のいずれか１つに記載の部材取付具。
【請求項６】
梁の上面に載置された床パネルを含む建物の屋上又はベランダの床構造と、
前記床構造に対して取り付けられている、建築部材を取り付け可能な部材取付具と、を備え、
前記部材取付具は、前記梁の上方を含む領域に形成されている前記床パネルの開口部に挿入された状態で、前記梁に対して固定されている梁取付部と、前記開口部の周囲において前記床パネルの上面に固定されている床取付部と、前記梁取付部に連結されるとともに前記床取付部に連結され、前記建築部材が固定されている部材取付部と、を備え、
前記部材取付部は、前記梁の上方に設けられていることを特徴とする建物。
【発明の詳細な説明】
【技術分野】
【０００１】
本発明は、部材取付具及び建物に関する。
【背景技術】
【０００２】
従来から、太陽光利用装置の設置や洗濯物の干し場などとして屋上を利用する建物が知られている。また、屋上非利用の既存建物の屋上を利用できるように、将来において改築するケースも予想されている。このような屋上利用が可能な建物では、安全上、手摺を取り付けることが必要となる。
【０００３】
例えば、屋上非利用の建物の屋上に手摺を取り付ける際には、建物に強固に留め付ける必要があり、例えば鉄骨造の建物においては、軸組部材としての鉄骨梁などに留め付けることにより、手摺の強度を確保することができる。
【０００４】
特許文献１には、屋上の床材にコンクリート系パネルを用いている既存の鉄骨住宅の屋上に、手摺などの建築部材を取り付けるための建築部材取付具が記載されている。特許文献１の建築部材取付具は、筒状体の下部にその外周一方向に延出された板状体を有し、板状体の延出端近傍に設けられたボルト孔を介して既存梁の上部フランジの片側上面にボルト固定される梁取付部材と、筒状体の上部に板状体とは異なる方向に延出され、この延出端近傍に設けられたボルト孔を介してコンクリート系パネルの上面にボルト固定される床取付部材と、筒状体に螺合接続され、上部に建築部材取付部を有する建築部材取付部材と、からなるものである。
【先行技術文献】
【特許文献】
【０００５】
【特許文献１】特開２００７−０１６５０８号公報
【発明の概要】
【発明が解決しようとする課題】
【０００６】
特許文献１に記載の建築部材取付具によれば、内装を傷つけることなく、屋上やベランダ側からのみの施工で火気も使わずに簡易に手摺、太陽光利用装置、物置等の建築部材を取り付けることができるが、床パネルとしてのコンクリート系パネルに対する荷重の負荷の観点において更なる改善の余地がある。
【０００７】
そこで本発明は、梁、及び、屋上又はベランダの床パネルに対して固定されつつも床パネルに対する荷重の負荷を軽減できる、建築部材を取り付け可能な部材取付具及びこの部材取付具を備える建物を提供することを目的とするものである。
【課題を解決するための手段】
【０００８】
本発明の第１の態様としての部材取付具は、梁の上面に載置された床パネルを含む建物の屋上又はベランダの床に建築部材を取り付けるための部材取付具であって、前記梁の上方を含む領域に形成される前記床パネルの開口部に挿入され、前記梁に対して固定される梁取付部と、前記開口部の周囲において前記床パネルの上面に固定される床取付部と、前記梁取付部に連結されるとともに前記床取付部に連結され、前記建築部材を固定可能な部材取付部と、を備え、前記部材取付部は、前記梁の上方に設けられることを特徴とするものである。
【０００９】
本発明の１つの実施形態として、前記部材取付部は、平面視で前記開口部に対して前記床取付部とは反対側に持ち出された位置に設けられることが好ましい。
【００１０】
本発明の１つの実施形態として、前記部材取付部は、平面視で前記梁の中心線を跨る位置に設けられることが好ましい。
【００１１】
本発明の１つの実施形態として、前記梁取付部は第１板部により構成されており、前記床取付部は、前記第１板部と対向して配置された第２板部により構成されており、前記部材取付部は、前記第２板部の前記第１板部と対向する面と反対側の面上に設けられており、前記第１板部及び前記第２板部は、前記第１板部と前記第２板部との間に位置する板状の連結部により連結されていることが好ましい。
【００１２】
本発明の１つの実施形態としての部材取付具は、前記開口部の底部において平面視で少なくとも前記梁と重ならない範囲を塞ぐための塞ぎ部を備えることが好ましい。
【００１３】
本発明の第２の態様としての建物は、梁の上面に載置された床パネルを含む建物の屋上又はベランダの床構造と、前記床構造に対して取り付けられている、建築部材を取り付け可能な部材取付具と、を備え、前記部材取付具は、前記梁の上方を含む領域に形成されている前記床パネルの開口部に挿入された状態で、前記梁に対して固定されている梁取付部と、前記開口部の周囲において前記床パネルの上面に固定されている床取付部と、前記梁取付部に連結されるとともに前記床取付部に連結され、前記建築部材が固定されている部材取付部と、を備え、前記部材取付部は、前記梁の上方に設けられていることを特徴とするものである。
【発明の効果】
【００１４】
本発明によれば、梁、及び、屋上又はベランダの床パネルに対して固定されつつも床パネルに対する荷重の負荷を軽減できる、建築部材を取り付け可能な部材取付具及びこの部材取付具を備える建物を提供することができる。
【図面の簡単な説明】
【００１５】
【図１】本発明に一実施形態としての部材取付具を示す斜視図である。
【図２】図１に示す部材取付具の上面図である。
【図３】図１に示す部材取付具の側面図である。
【図４】図１に示す部材取付具の側面図である。
【図５】図１に示す部材取付具が取り付けられた本発明の一実施形態としての建物を示す図である。
【図６】特殊座金を示す図である。
【図７】図５に示す建物の変形例としての建物を示す図である。
【発明を実施するための形態】
【００１６】
以下、本発明に係る部材取付具及び建物の実施形態について、図１〜図７を参照して説明する。各図において共通する部材・部位には共通の符号を付している。
【００１７】
図１は、本発明に係る部材取付具の一実施形態としての部材取付具１を示す斜視図である。図１に示す部材取付具１は、建築部材としての手摺の取付具である。図２は、部材取付具１の上面図である。また、図３及び図４それぞれは異なる方向から見た場合の部材取付具１の側面図である。なお、図１では、部材取付具１の他に、部材取付具１に対して取り付けられる手摺取付部材５０を示している。
【００１８】
まず、部材取付具１が取り付けられる建物の一例の概略について説明する。建物は、例えば、鉄骨造の軸組みを有する４階建て以下の工業化住宅であり、地盤に配置された鉄筋コンクリート基礎（不図示）と、鉄骨柱や鉄骨梁などの軸組部材で構成された軸組架構を有し、鉄筋コンクリート基礎に緊結された上部構造体と、で構成される。なお、軸組架構を構成する軸組部材は、予め規格化（標準化）されたものであり、予め工場にて製造されたのち建築現場に搬入されて組み立てられる。また、軸組架構の鉄骨柱は、平面視において、建物の基本モジュール（例えば３０５ｍｍ）のグリッド（通り心）の交点に設けられるように設計されている。
【００１９】
鉄筋コンクリート基礎は、上部構造体の下側に位置し、上部構造体を支持している。具体的に、鉄筋コンクリート基礎は、断面逆Ｔ字状の布基礎であり、フーチング部と、基礎梁としての立ち上がり部と、を備えている。また、鉄筋コンクリート基礎の立ち上がり部の天端部には、軸組架構の柱の柱脚を固定するための柱脚固定部が設けられており、柱脚を固定する際に用いられるアンカーボルトが立ち上がり部の天端から鉛直方向上側に向かって突出している。
【００２０】
また、鉄筋コンクリート基礎は、上部構造体の軸組架構からの鉛直荷重を地盤に分散して伝達する機能に加えて、上部構造体の外周壁構造を構成する各種の部材、上部構造体の床構造を構成する各種の部材などを直接的又は間接的に支持する機能をも有している。
【００２１】
上部構造体の軸組架構は、複数の鉄骨柱及び複数の鉄骨梁などから構成されている。軸組架構の外周部には、外周壁構造を構成する外装材３８（図５参照）等が配置される。また、軸組架構の層間部には、床構造を構成する床板部材等が配置される。
【００２２】
建物の外周壁構造は、外装材３８（図５参照）、断熱材及び内装材を少なくとも含む。外装材３８として軽量発泡コンクリート（以下、「ＡＬＣ」と記載する。「ＡＬＣ」とは「autoclaved light weight concrete」の略である。）のパネルを用いることができるが、外装材３８として、例えば、耐火性を有する金属系や窯業系のサイディング、押出成形セメント板、木質パネル材などを用いることも可能である。外周壁構造の外層は、外装材３８を複数連接させることにより形成することができる。
【００２３】
また、断熱材は、例えば、フェノールフォーム、ポリスチレンフォーム、ウレタンフォーム等の発泡樹脂系の材料で形成することができ、上述の外装材３８（図５参照）により形成された外層の内面に沿って連接することにより、外周壁構造の断熱層を形成することができる。
【００２４】
更に、内装材は、例えば、石膏ボードを用いることができ、断熱層の内側に連接することにより、外周壁構造の内層を形成することができる。
【００２５】
建物の床構造は、床板部材を含む。床板部材は、軸組架構の鉄骨梁間に架設され、鉄骨梁により直接的又は間接的に支持される。床板部材は、例えば、ＡＬＣパネルにより構成することができるが、折板、押出成形セメント板、木質パネルなどの別の床パネルを用いてもよい。上述した木質パネルとしては、例えば、張り合わせる板の繊維方向が平行する集成材や、張り合わせる板の繊維方向が直交するように交互に張り合わされる直交集成板（ＣＬＴ（Cross Laminated Timberの略））などが挙げられる。床構造は、床板部材に加えて、例えば、床板部材に対して直接的又は間接的に取り付けられる、下階屋内空間の天井面を構成する天井内装材や、床支持材上に積層された、上階屋内空間の床面を構成するフローリング等の床内装材などを含むものであってもよい。更に、ここで説明する建物の屋上は陸屋根であり、屋上の床構造（以下、「屋上床構造」と記載する。）は、屋上の床梁としての鉄骨梁３０の上面に載置される床パネル３１上に、断熱材３３及びゴム系や塩化ビニル系の防水シート３２が積層されることにより形成されている（図５参照）。
【００２６】
図１〜図４に示す部材取付具１は、上述した建物の屋上床構造に対して取り付け可能なものであり、梁取付部２と、床取付部３と、部材取付部４と、を備えている。なお、本実施形態では、部材取付具１を屋上床構造に対して取り付ける構成を以下に例示説明するが、ベランダの床構造に対しても同様の施工により取り付け可能である。
【００２７】
より具体的に、本実施形態の部材取付具１は、板状の第１板部４１と、この第１板部４１と対向して配置された板状の第２板部４２と、第１板部４１及び第２板部４２との間に位置し、第１板部４１及び第２板部４２を連結する板状の連結部４３と、第２板部４２の第１板部４１と対向する面（以下、「下面」と記載する。）と反対側の面（以下、「上面」と記載する。）上に設けられた、内面に雌ねじ部４４ａが形成された筒状部４４と、第２板部４２の上面上で、筒状部４４と隣接して立設されている補強板部４５と、を備えている。
【００２８】
ここで、本実施形態の梁取付部２は第１板部４１により構成されている。第１板部４１は、厚み方向から見た場合に円形の外形を有している。第１板部４１の外径は、例えば１００〜２００ｍｍとすることができる。また、第１板部４１の厚みは、例えば５〜１０ｍｍとすることができる。但し、第１板部４１の外径や厚みは、上述した範囲に限られるものではなく、設置位置等の条件に応じて適宜変更することが可能である。
【００２９】
また、第１板部４１には、厚み方向に貫通する挿通孔４１ａが形成されている。この挿通孔４１ａを利用して、第１板部４１が建物の屋上床構造の鉄骨梁３０の上フランジ３０ａに取り付けられる。この取り付け詳細は後述する（図５参照）。
【００３０】
本実施形態の床取付部３は、第１板部４１と対向して配置された第２板部４２の一部により構成されている。具体的に、第２板部４２は、厚み方向から見た場合に、略一様な幅で延在する帯状の胴部４２ａと、この胴部４２ａの一端側に連続し、胴部４２ａよりも幅広の矩形状の第１端部４２ｂと、胴部４２ａの他端側に連続し、胴部４２ａよりも幅広の矩形状の第２端部４２ｃと、で構成されている。そして、本実施形態の床取付部３は、第２板部４２の第１端部４２ｂにより構成されている。
【００３１】
なお、第２板部４２の胴部４２ａの幅は、例えば３０〜５０ｍｍとすることができる。また、第１端部４２ｂの幅は、例えば７０〜１２０ｍｍとすることができる。更に、第２端部４２ｃの幅は、例えば６０〜１００ｍｍとすることができる。また更に、第２板部４２の厚みは、例えば５〜１０ｍｍとすることができる。但し、第２板部４２の各部の幅や厚みは、上述した範囲に限られるものではなく、設置位置等の条件に応じて適宜変更することが可能である。
【００３２】
ここで、床取付部３としての第２板部４２の第１端部４２ｂには、厚み方向に貫通する複数（本実施形態では３つ）の挿通孔４６ａ〜４６ｃが設けられている。３つの挿通孔４６ａ〜４６ｃはいずれも、帯状の胴部４２ａの延在方向に沿って長い長孔である。また、３つの挿通孔４６ａ〜４６ｃは、帯状の胴部４２ａの幅方向において一列に直線状に配置されている。この挿通孔４６ａ〜４６ｃを利用して、第２板部４２が建物の屋上床構造の床パネル３１の上面に取り付けられる。この取り付け詳細は後述する（図５参照）。
【００３３】
なお、第２板部４２を厚み方向から見た場合（図２参照）に、帯状の胴部４２ａの幅方向の中心を通る中心線Ｌは、３つの挿通孔４６ａ〜４６ｃのうち中央の挿通孔４６ｂの幅方向の中心を通る。また、第１端部４２ｂの幅方向の中心を通る中心線は、帯状の胴部４２ａの幅方向の中心を通る中心線Ｌと一致している。本実施形態の胴部４２ａ及び第１端部４２ｂは、このような位置関係で連続している。
【００３４】
本実施形態の連結部４３は平板状であり、その厚み方向が上述した第２板部４２の胴部４２ａの幅方向と略一致するように、第１板部４１及び第２板部４２の間で、第１板部４１及び第２板部４２を連結している。より具体的に、第１板部４１及び第２板部４２の厚み方向から見た場合に、連結部４３は、第１板部４１の中心を通過するように直線状に延在している。また、連結部４３は、第２板部４２の帯状の胴部４２ａの中心線Ｌ上に延在している（図２参照）。なお、連結部４３の厚みは、例えば５〜１５ｍｍとすることができるが、この厚みに限られるものではなく、設置位置や、部材取付具１に取り付けられる建築部材の荷重等に応じて適宜変更することが可能である。
【００３５】
本実施形態の部材取付部４は、第２板部４２の上面から突設されている筒状部４４により構成されている。具体的に、本実施形態の筒状部４４は、第２板部４２の第２端部４２ｃの上面から突設されている。筒状部４４（部材取付部４）は、第２端部４２ｃ及び連結部４３を介して第１板部４１（梁取付部２）に連結されているとともに、胴部４２ａを介して第１端部４２ｂ（床取付部３）に連結されている。また、筒状部４４（部材取付部４）は、平面視で開口部３１ａに対して第１端部４２ｂ（床取付部３）とは反対側に持ち出された位置に設けられている。そのため、第２端部４２ｃ付近に建築部材による荷重の負担がかかりやすいが、補強板部４５を設けることで第２端部４２ｃ付近の変形を抑制することができる。筒状部４４の内面には、上述したように雌ねじ部４４ａが形成されており、図１に示す手摺取付部材５０の筒部５１の雄ねじ部５１ａが螺合可能となっている。なお、手摺取付部材５０は、筒部５１と、この筒部５１の一端側に連続するフランジ部５２と、を備えており、フランジ部５２上に建築部材としての手摺がボルト及びナット等の締結部材により締結される。なお、本実施形態では、部材取付部４に対して手摺取付部材５０を介して手摺を固定可能な構成であるが、この構成に限られるものではなく、部材取付部４に対して手摺などの建築部材を直接固定可能な構成であってもよい。
【００３６】
筒状部４４の外径としては例えば６０〜８０ｍｍとすることができる。また、筒状部４４の高さとしては、例えば１５〜３０ｍｍとすることができる。但し、筒状部４４の外径や高さは、上述した範囲に限られるものではなく、設置位置や設置される部材の特性に応じて適宜変更することが可能である。
【００３７】
なお、第２板部４２を厚み方向から見た場合（図２参照）に、帯状の胴部４２ａの幅方向の中心を通る中心線Ｌは、筒状部４４の中心を通る。また、第２端部４２ｃの幅方向の中心を通る中心線は、帯状の胴部４２ａの幅方向の中心を通る中心線Ｌと一致している。本実施形態の胴部４２ａ及び第２端部４２ｃは、このような位置関係で連続している。
【００３８】
以下、上述した部材取付具１が屋上床構造に対して取り付けられた建物について詳細に説明する。図５は、図１〜図４に示す部材取付具１を、上述した建物の屋上床構造に取り付けた状態を示す断面図である。
【００３９】
図５に示すように、建物の屋上床構造は、上フランジ３０ａ、下フランジ３０ｂ及びウェブ３０ｃにより構成されたＨ形鋼の鉄骨梁３０の上面に載置された床パネル３１を含むものである。部材取付具１は、この屋上床構造に対して取り付けられている。ウェブ３０ｃは、鉄骨梁３０の上フランジ３０ａの上面の幅方向の中心を通る梁の中心線に対して平面視で重なる位置に設けられている。また、鉄骨梁３０は、梁の中心線が建物の通り心に対して平面視で重なるように配置されている。
【００４０】
部材取付具１の梁取付部２は、鉄骨梁３０の上フランジ３０ａのウェブ３０ｃを挟んで一方側の上方を含む領域に形成されている床パネル３１の開口部３１ａに挿入された状態で、上フランジ３０ａの一方側に対して、ボルト及びナット等の締結部材により固定されている。
【００４１】
開口部３１ａは円柱状の空隙であり、その内径は梁取付部２の外径と略等しい。したがって、梁取付部２を開口部３１ａ内に挿入し、梁取付部２を上フランジ３０ａの一方側と固定すると、梁取付部２が開口部３１ａの底部において平面視で鉄骨梁３０と重ならない範囲を塞ぐ底板（塞ぎ部）を構成する。なお、本実施形態では梁取付部２が塞ぎ部を兼ねているが、梁取付部２とは別途に塞ぎ部が設けられていてもよい。
【００４２】
部材取付具１の床取付部３は、床パネル３１の上面に対して、ボルト及びナット等の締結部材により固定されている。具体的に、床取付部３を含む第２板部４２は、円柱状の開口部３１ａを跨るように延在しており、平面視で上フランジ３０ａと重ならない位置の床パネル３１の上面に対して、ボルト及びナット等の締結部材により固定されている。
【００４３】
部材取付具１の部材取付部４には、建築部材としての手摺が、手摺取付部材５０を介して固定される。具体的に、部材取付部４としての筒状部４４には、手摺取付部材５０の筒部５１の下端部が螺合されており、建築部材としての手摺は、手摺取付部材５０のフランジ部５２上に、ボルト及びナット等の締結部材により締結される。
【００４４】
ここで、部材取付部４は、鉄骨梁３０の上方の位置（平面視で上フランジ３０ａと重なる位置）に設けられている。部材取付部４をこのような位置に設けると、部材取付部４を鉄骨梁３０の上方ではない位置（平面視で上フランジ３０ａと重ならない位置）に設ける構成と比較して、部材取付部４及び部材取付部４に対して直接的又は間接的に取り付けられる手摺等の建築部材による荷重が、鉄骨梁３０の上フランジ３０ａによって負担され易くなる。そのため、建築部材による荷重のうち、鉄骨梁３０の上フランジ３０ａによって負担される荷重の割合が増加することになり、床取付部３（本実施形態では第１端部４２ｂ）を介して床パネル３１によって負担される荷重の割合が減少する。つまり、床取付部３を介して床パネル３１に加わる荷重の負荷を軽減することができる。
【００４５】
なお、建物の屋上に、鉄骨梁３０に沿って上方に延出するパラペットを設ける場合、鉄骨梁３０の上フランジ３０ａのウェブ３０ｃを挟んだ他方側の上方の位置は、パラペットの構造部材との納まりとの関係で、梁取付部２を配置し難いことがある。かかる場合には、上フランジ３０ａの一方側以外の位置へ梁取付部２を固定することは難しい。また、床パネル３１を用いた陸屋根では、床パネル３１の吹上げ防止のために、床パネル３１の側面に吹上げ防止突起を設け、この吹上げ防止突起に係合する吹上げ防止鉄筋を仕込むことが行われる。通常、このような吹上げ防止鉄筋は鉄骨梁３０のセンター付近（ウェブ３０ｃの直上）に位置するため、鉄骨梁３０のセンターに梁取付部２を設けると、吹き上げ防止鉄筋と干渉してしまうおそれがある。そのため、梁取付部２は、上フランジ３０ａの上面のうち、上フランジ３０ａの一方側の上面のみを覆う状態で、上フランジ３０ａの一方側に対して固定される構成とすることが好ましい。このようにすれば、上述したようなパラペットの構造部材や吹上げ防止鉄筋との干渉を回避しつつ、建物の屋上床構造に手摺、太陽光利用装置、物置等の建築部材を取り付け易くすることができる。
【００４６】
なお、梁取付部２が上フランジ３０ａの一方側の上面のみを覆う状態で、上フランジ３０ａの一方側に対して固定されている場合には、上フランジ３０ａの他方側の上面に、床パネル３１間に配置された鉄筋が連結される剛床金物を設けることができる。剛床金物を設けることができれば、床パネル３１の周囲に鉄筋を配設し、これら鉄筋を剛床金物に対して連結することができる。そのため、敷設される複数の床パネル３１同士を強固に連結して一体化し、耐震性を向上させることができる。
【００４７】
更に、部材取付部４は、平面視で鉄骨梁３０の中心線を跨る位置に設けられることが好ましい。このようにすれば、部材取付部４及び部材取付部４に取り付けられる手摺等の建築部材による荷重が、鉄骨梁３０の上フランジ３０ａ全域によって負担され易くなる。そのため、床取付部３を介して床パネル３１に加わる荷重の負荷をより一層軽減することができる。また、例えば、鉄骨梁３０の中心線上に既存の手摺が位置し、この手摺と連続する手摺を新設する場合には、既存の手摺との連結作業を考慮して部材取付部４を鉄骨梁３０の中心線上に位置させることにより、既存の手摺と新設の手摺との連結作業を容易に行うことができる。
【００４８】
最後に、部材取付具１を屋上床構造に対して取り付ける施工手順について説明する。なお、ここでは、既存の鉄骨住宅の屋上床構造に対して部材取付具１を取り付け、図５に示す状態にする施工手順を例示説明するが、部材取付具１は、新築の鉄骨住宅などの新築の建物の屋上床構造に対して取り付けることも可能である。
【００４９】
まず、屋上の防水シート３２、断熱材３３及び床パネル３１に対して、ホールソーを用いて開口部３１ａとしての円柱状の貫通孔を形成する。貫通孔は、鉄骨梁３０の上フランジ３０ａの上方領域のみならず、鉄骨梁３０の上フランジ３０ａの上方領域以外の領域を含むように形成される。つまり、鉄骨梁３０の上フランジ３０ａの上方領域のみに開口部３１ａとしての貫通孔が形成されないようにする。このようにすれば、この貫通孔を通じて上フランジ３０ａの下面側（ウェブ３０ｃ側）の作業を行うことができる。具体的には、以下で説明するように、鉄骨梁３０の上フランジ３０ａに形成されたボルト孔に対してボルト３４を下方から挿通する作業を行う際に、上述の開口部３１ａとしての貫通孔を通じて上方から上フランジ３０ａの下面側に手を入れることができる。
【００５０】
次に、鉄骨梁３０の上フランジ３０ａに形成されたボルト孔に対してボルト３４を下方から挿通し、ボルト３４を上フランジ３０ａの上面から上方に突出した状態とする。次いで、特殊座金３５を上方からボルト３４に嵌合する。このようにして、ボルト３４を、上フランジ３０ａの上面から上方に突出した状態のまま、上フランジ３０ａに固定する。なお、図６は、特殊座金３５の単体を示す図である。図６に示すように、特殊座金３５は、内周部分に弾性変形し得る突出片３５ａを有している。そのため、特殊座金３５をボルト３４に嵌合すると、突出片３５ａによってボルト３４が係止される。そのため、上フランジ３０ａの上面から上方に突出する状態のボルト３４に特殊座金３５を嵌合すると、ボルト３４を、上フランジ３０ａの上面から突出した状態のまま、上フランジ３０ａに対して固定することができる。
【００５１】
また、床パネル３１に床取付部３をボルト固定できるように、床取付部３が配置される部分の防水シート３２と断熱材３３を撤去すると共に、この撤去部分の床パネル３１にボルト孔をあけておく。
【００５２】
次に、部材取付具１を開口部３１ａ内に挿入する。この際、上フランジ３０ａの上面から突設されているボルト３４が、梁取付部２としての第１板部４１に設けられている挿通孔４１ａを挿通する。そして、ボルト３４に対してナット３６を螺合することにより、梁取付部２としての第１板部４１を、上フランジ３０ａの一方側に対して締結する。なお、第１板部４１を鉄骨梁３０の上フランジ３０ａに締結する締結部材としては、上述したボルト３４及びナット３６に限られるものではなく、例えば、ワンサイドボルト等を利用してもよい。一方向から締め付け施工が可能なワンサイドボルトを用いることにより、屋上から簡単に作業を進めることができる。
【００５３】
また、床パネル３１に設けたボルト孔と、床取付部３としての第１端部４２ｂに設けられている挿通孔４６ａ〜４６ｃとを利用し、床取付部３を床パネル３１に取り付ける。床取付部３を床パネル３１に対して取り付ける方法は、梁取付部２を上フランジ３０ａに対して取り付ける上述の方法と同様である。具体的には、床パネル３１に設けたボルト孔に対してボルト３７を下方から挿通し、ボルト３７を床パネル３１の上面から上方に突出した状態とする。次いで、特殊座金３５を上方からボルト３７に嵌合する。このようにして、ボルト３７を、床パネル３１の上面から上方に突出した状態のまま、床パネル３１に固定する。次いで、上方に突出したボルト３７が床取付部３の挿通孔４６ａ〜４６ｃを通るように、床取付部３を床パネル３１上に設置し、ボルト３７の上方からナット３９を螺合する。このようにして、床取付部３を床パネル３１の上面に取り付けることができる。なお、床取付部３としての第２板部４２の第１端部４２ｂを床パネル３１の上面に締結する締結部材としては、上述したボルト３７及びナット３９に限られるものではなく、例えば、ワンサイドボルト等を利用してもよい。一方向から締め付け施工が可能なワンサイドボルトを用いることにより、屋上から簡単に作業を進めることができる。
【００５４】
ここで、本実施形態の床取付部３としての第１端部４２ｂには３つの挿通孔４６ａ〜４６ｃが設けられている。第１端部４２ｂの下方に、床パネル３１の上面が位置する場合には、真ん中の挿通孔４６ｂを利用して、第１端部４２ｂを床パネル３１の上面に取り付けることができるが、例えば、第１端部４２ｂが隣接する床パネル３１間に跨るように配置され、真ん中の挿通孔４６ｂの下方に、床パネル３１間に充填されたモルタルが位置する場合がある。かかる場合には、両端の挿通孔４６ａ及び４６ｃを利用して、隣接する両方の床パネル３１の上面に対して第１端部４２ｂを取り付けるようにする。つまり、床取付部３が複数の挿通孔４６ａ〜４６ｃを有する構成とすれば、床パネル３１の継ぎ目の位置などでも床取付部３を設置することができ、部材取付具１の設置位置の自由度を高めることができる。
【００５５】
次に、部材取付部４としての筒状部４４に対して、手摺取付部材５０を螺合接合する。この際に、手摺の仕様等に応じて、手摺取付部材５０の高さ位置を調整する。
【００５６】
この状態で、開口部３１ａにモルタル（図５では不図示）を充填する。上述したように、梁取付部２としての第１板部４１の外径は、開口部３１ａの内径と略等しい。そのため、第１板部４１が充填されるモルタルを受ける底板となり、第１板部４１よりも下方にモルタルが垂れ落ちることを防ぐことができる。なお、モルタルは、部材取付具１を全て覆うまで充填され、コテ等を利用して上面が平滑化される。
【００５７】
モルタルが固化した後は、モルタルが露出する部分にも防水シート３２を敷設する。その後、手摺取付部材５０のフランジ部５２に設けられているボルト孔を利用して手摺をボルト固定する（不図示）。
【００５８】
以上のようにして、既存の鉄骨住宅の屋上に、建築部材としての手摺を新設することができる。
【００５９】
本発明に係る部材取付具及び建物は、上述した実施形態の具体的構成に限られるものではなく、特許請求の範囲の記載を逸脱しない限り、種々の変更や変形が可能である。例えば、実施形態では梁の形状をＨ形鋼としたが、Ｃ形鋼、Ｔ形鋼、Ｌ形鋼等であってもよく、梁の材質についても鋼材に限られるものではなく、木質系材料等であってもよい。また、部材取付具の材質は、鋼材を用いるのが一般的であるが、高強度樹脂であってもよい。また、上述した床パネル３１の開口部３１ａは、ホールソーにより形成された貫通孔として説明したが、新築の鉄骨住宅などの新築の建物に適用する際には、床パネル３１に予め形成されている切欠き部であってもよい。また、図５に示す建物では、鉄骨梁３０の上フランジ３０ａの他方側の上面にも床パネル３１が配置されているが、上述したように、上フランジ３０ａの他方側の上面に剛床金物が配置されている構成であってもよい。図７は、上フランジ３０ａの他方側の上面に剛床金物６０が取り付けられている例を示すものである。図７に示す剛床金物６０の周囲にはモルタル６１が充填されている。なお、図７に示す剛床金物６０は、上フランジ３０ａの他方側に形成されたボルト孔に挿通されたボルト６２及びこのボルト６２に螺合されたナット６３により、上フランジ３０ａの他方側（図７では外装材３８に近い側）に対して締結されている。
【産業上の利用可能性】
【００６０】
本発明は、部材取付具及び建物に関する。
【符号の説明】
【００６１】
１：部材取付具
２：梁取付部
３：床取付部
４：部材取付部
３０：鉄骨梁（梁）
３０ａ：上フランジ
３０ｂ：下フランジ
３０ｃ：ウェブ
３１：床パネル
３１ａ：開口部
３２：防水シート
３３：断熱材
３４：ボルト
３５：特殊座金
３５ａ：突出片
３６：ナット
３７：ボルト
３８：外装材
３９：ナット
４１：第１板部
４１ａ：挿通孔
４２：第２板部
４２ａ：胴部
４２ｂ：第１端部
４２ｃ：第２端部
４３：連結部
４４：筒状部
４４ａ：雌ねじ部
４５：補強板部
４６ａ〜４６ｃ：挿通孔
５０：手摺取付部材
５１：筒部
５１ａ：雄ねじ部
５２：フランジ部
６０：剛床金物
６１：モルタル
６２：ボルト
６３：ナット
Ｌ：胴部の幅方向中心を通る中心線
【図１】
2018115529.tif 000003
【図２】
2018115529.tif 000004
【図３】
2018115529.tif 000005
【図４】
2018115529.tif 000006
【図５】
2018115529.tif 000007
【図６】
2018115529.tif 000008
【図７】
2018115529.tif 000009